(57)【要約】  【課題】  空きジャックを介して電子機器又は情報通信機器へ不正なアクセスが為されないように防御する方法と、この防御方法に用いる装置とを提供することにある。  【解決手段】  送受信配線のプラグが差し込まれていない所定の空きジャックに、引き抜き防止用施錠手段をそれぞれ備えたプラグを差し込むことにより、空きジャックを介した電子機器又は情報通信機器への不正なアクセスを防止する。このプラグは、ジャックに差し込み可能に形成された挿入部と、挿入部をジャックから引き抜くことができないように施錠する施錠手段とを有し、この施錠手段は、錠本体部と、ジャックの所定箇所に掛止するように設けられた掛止片と、掛止片の掛止状態を解除する解除手段とを含み、解除手段が、錠本体部のみを介して操作されて掛止片の掛止状態を解除できるように形成されたものである。【選択図】  図１
2006146658.tif 000002
【特許請求の範囲】
【請求項１】
データ又は電気信号を送受信するため電子機器又は情報通信機器に設けられた複数のジャックのうち、送受信配線のプラグが差し込まれていない所定の空きジャックに、引き抜き防止用施錠手段をそれぞれ備えたプラグを差し込むことにより、空きジャックを介した電子機器又は情報通信機器への不正なアクセスを防止することを特徴とする電子機器又は情報通信機器の保護方法。
【請求項２】
請求項１に記載したプラグは、データ又は電気信号を送受信するため電子機器又は情報通信機器に設けられたジャックに差し込み可能に形成された挿入部と、該挿入部をジャックから引き抜くことができないように施錠する施錠手段とを有することを特徴とするセキュリティプラグ。
【請求項３】
前記施錠手段は、鍵が差し込まれて操作される錠本体部と、ジャックの所定箇所に掛止するように前記挿入部に設けられた掛止片と、該掛止片の掛止状態を解除する解除手段とを含み、該解除手段が、錠本体部のみを介して操作されて掛止片の掛止状態を解除できるように形成されたものである請求項２記載のセキュリティプラグ。
【請求項４】
前記掛止片は、弾性部材により付勢されて突出するよう設けられたものであり、ジャックへの挿入時にはジャック所定箇所に当接することにより押込み可能に形成され、ジャック挿入後に引き抜く力が作用した時にはジャック所定箇所に掛止して押込み不能に形成されたものである請求項３記載のセキュリティプラグ。
【請求項５】
前記掛止片の掛止状態を解除する解除手段は、先端がほぼ半円形断面に形成された軸部材であり、該先端は前記掛止片に形成された孔に挿入され、弾性部材により付勢された掛止片の突出長を規定するものであり、該軸部材を回転させて先端の円周部分で孔面を押すことにより掛止片が下方に押込まれて掛止状態を解除するものである請求項３記載のセキュリティプラグ。
【請求項６】
前記施錠手段の錠本体部は、鍵により操作されることにより、前記解除手段としての軸部材を回転させ得るものである請求項５記載のセキュリティプラグ。
【請求項７】
ジャックに挿入した際にジャック外部に表出する外部表出部に、プラグの上下を表す手段を設けたものである請求項２記載のセキュリティプラグ。
【発明の詳細な説明】
【技術分野】
【０００１】
本発明は、電子機器又は情報通信機器に設けられた複数のジャックのうち、送受信配線のプラグが差し込まれていない空きジャックを介して不正なアクセスが為されないように防御する方法と、この防御方法に用いる装置に関する。
【背景技術】
【０００２】
コンピュータやサーバー等の電子機器又は情報通信機器には、データ又は電気信号を送受信するために配線プラグが差し込み可能な複数のジャックが設けられている。これは、電子機器又は情報通信機器を、他のより多くの端末あるいは周辺機器に接続可能にするものであるが、多くの場合に、複数のジャックには、全てに送受信用プラグが差し込まれることはなく、いくつかのジャックはプラグが差し込まれていない空き状態になっていることが多い。このような空き状態のジャックに、悪意をもって送受信配線のプラグを差し込んだ場合には、電子機器又は情報通信機器への不正なアクセスが比較的容易に可能になり、機器内の情報が盗み取られたり、機器内の情報が破壊されたりする可能性がある。
したがって、電子機器又は情報通信機器への不正なアクセスを防止するため、例えば、機器が設置された所定エリアへの立入りを限定したり、機器全体を収納する筐体に開閉扉を設けてこれを施錠したりといった対策が考えられている。
【発明の開示】
【発明が解決しようとする課題】
【０００３】
しかしながら、電子機器又は情報通信機器を使用する者の業務内容によっては、機器設置エリアへの立入りを限定することが困難であったり、あるいは、機器設置エリアへの立入りを限定したとしても、悪意ある者が何らかの方法により、空き状態のジャックに不正な送受信配線のプラグを差し込む可能性が皆無であるとは言えない。
また機器全体を筐体に収納する対策では、システム構成の変更等により、随時行われる送受信配線プラグの差し替え作業等に迅速に対応することができなかったり、場合によっては、機器の構造上の理由から開閉扉を設けることが不可能なこともある。
【０００４】
本発明の課題は、電子機器又は情報通信機器における複数のジャックのうち、送受信配線のプラグが差し込まれていない空きジャックを介して電子機器又は情報通信機器へ不正なアクセスが為されないように防御する方法と、この防御方法に用いる装置とを提供することにある。
【課題を解決するための手段】
【０００５】
本発明では、データ又は電気信号を送受信するため電子機器又は情報通信機器に設けられた複数のジャックのうち、送受信配線のプラグが差し込まれていない所定の空きジャックに、引き抜き防止用施錠手段をそれぞれ備えたプラグを差し込むことにより、空きジャックを介した電子機器又は情報通信機器への不正なアクセスを防止することを特徴とする電子機器又は情報通信機器の保護方法が提供される。
上記構成の電子機器又は情報通信機器の保護方法では、所定の空きジャック、すなわち不正なアクセスに利用される可能性がある空きジャックに、引き抜き防止用施錠手段を備えたプラグをそれぞれ差し込むことにより、このような危険性のある空きジャック自体を無くしてしまい、空きジャックを介した不正なアクセスを不可能にするものである。ここで、所定の空きジャックとは、電子機器又は情報通信機器において、不正なアクセスに利用される可能性がある空きジャックを対象とするものである。したがって、このように悪用される可能性の無い空きジャックに関しては、必要に応じてプラグ差し込みの有無を定めれば良い。
【０００６】
また本発明では、データ又は電気信号を送受信するため電子機器又は情報通信機器に設けられたジャックに差し込み可能に形成された挿入部と、該挿入部をジャックから引き抜くことができないように施錠する施錠手段とを有することを特徴とするセキュリティプラグが提供される。
前記構成のセキュリティプラグでは、送受信配線のプラグが差し込まれていない空きジャックに挿入部を差し込み、施錠手段により空きジャックからの引き抜きを防止するものであるため、空きジャックを介した電子機器又は情報通信機器への不正なアクセスを防止することができるものである。
【０００７】
本発明において、前記施錠手段は、鍵が差し込まれて操作される錠本体部と、ジャックの所定箇所に掛止するように前記挿入部に設けられた掛止片と、該掛止片の掛止状態を解除する解除手段とを含み、該解除手段が、錠本体部のみを介して操作されて掛止片の掛止状態を解除できるように形成されたものとすることができる。
ここで、錠本体部と解除手段は、別部材として形成し、これら部材を組み立てるように構成するか、或いは解除手段をあらかじめ錠本体部に組み込んで一体物として形成することも可能である。
【発明の効果】
【０００８】
本発明により、電子機器又は情報通信機器における複数のジャックのうち、送受信配線のプラグが差し込まれていない空きジャックを介した電子機器又は情報通信機器へ不正なアクセスに対する防御が可能になる。
【発明を実施するための最良の形態】
【０００９】
以下、図面を参照して本発明について説明するが、本発明はこれに限定されるものではない。
【００１０】
図１は本発明にかかるセキュリティプラグ１０の図であって、図１（ａ）は上方から見下ろした図、図１（ｂ）は側面図、図１（ｃ）は図１（ａ）におけるＣ１−Ｃ１線に沿った断面図である。また図２（ａ）は図１（ｃ）におけるＡ２−Ａ２線に沿った断面図であり、図２（ｂ）はセキュリティプラグ１０を後方から見た図である。
セキュリティプラグ１０は、図１（ａ）（ｂ）に示したように、ジャック挿入部１１と外部表出部１２とを有するものである。ジャック挿入部１１は、電子機器又は情報通信機器に設けられたジャックに差し込み可能に形成された部分であり、外部表出部１２は、ジャックに差し込まれたときにジャック外部に突出する部分である。この外部表出部１２には、ジャックに差し込む際に、セキュリティプラグ１０の上下を容易に判断できるように上下を表す手段が設けられる。このような上下を表す手段としては、例えば、図１（ａ）に示したように、上側にＴＭＴのような何らかの文字を記載したり、上、下といった文字を記載しても良く、あるいは上側を平らに形成する一方で下側を曲面状に形成し、上下に形状の変化を付けるようにしても良い。
【００１１】
セキュリティプラグ１０を構成する挿入部１１と外部表出部１２は、図１（ｃ）や図２（ａ）の断面図に示したように、さらに、複数の部材や部位から構成されるものである。すなわち、プラグ本体部１３は内部に孔が形成され、ここに弦巻バネ１４と掛止片１５と解除部材１６と錠本体部１７（図３も併せて参照）とが装着され、弦巻バネ１４が孔に設置され、掛止片１５よりも先端にガイド部材１９が固定されている。
一方、セキュリティプラグ１０が挿入されるジャック３０、つまり、電子機器又は情報通信機器における送受信配線のプラグ差込用のジャックは、図４に示したように、そのフロントカバー３１の前面に段状の開口３２が形成されたものであり、フロントカバー３１の段状部分がプラグの掛止片１５に掛止する受け部３３として機能する。フロントカバー３１の内部には、送受信用プラグとの接点としてジャック端子３４（図１（ｂ）参照）が設けられている。
【００１２】
各構成について更に説明すれば、プラグ本体部１３は、外部表出部１２として形成された後方部分よりも先端の挿入部１１が小さく形成されており、その内部には、図１（ｃ）に示したように後端から挿入部１１に向けて軸方向に孔が形成され、挿入部１１には上下方向に貫通する孔が形成されている。この上下方向に貫通する孔には、弦巻バネ１４と掛止片１５が挿着されており、この孔における弦巻バネ１４の設置箇所には、これを受けるための受け部１３ａ（図２（ａ）参照）が形成されている。この弦巻バネ１４の中間、且つガイド部材１９の裏側には斜めに切欠き１８が形成されており、これによりジャック端子３４との間にクリアランスが確保される。
【００１３】
掛止片１５は、図１（ｃ）及び図２（ａ）に示したように、プラグ本体部１３から突出する部分に斜面１５ａが形成され、両側にフランジ部１５ｂが設けられ、ほぼ中央に縦長の半円形断面の貫通孔１５ｃが穿設されている。
斜面１５ａは、ジャック差し込み時にジャック３０の受け部３３に接触して摺動する部位であり、これにより掛止片１５は受け部３３に押されて弦巻バネ１４の弾性力に抗してプラグ本体部１３内に押し込み可能になっており、ジャック差し込み後には、図１（ｂ）に示したように斜面１５ａの逆側がジャック３０の受け部３３に掛止し、掛止片１５は弦巻バネ１４の弾性力により上方に付勢されているため、引き抜く力が作用しても掛止片１５は押し込み不能になっている。両側のフランジ部１５ｂは弦巻バネ１４の上に配置される部位であり、このフランジ部１５ｂを介して弦巻バネ１４からの力を受けて掛止片１５が上方に突出するように付勢されている。また掛止片１５の貫通孔１５ｃは解除部材１６の先端１６ａが挿入される孔である。この貫通孔１５ｃは、図２(ａ)に示したように、解除部材１６の先端１６ａよりも大きく形成されており、掛止片１５は弦巻バネ１４の弾性力により上方に付勢されているため、先端１６ａの上方にはクリアランスが確保されている。したがって、掛止片１５に上から押圧力を与えると、特に解除部材１６を操作していない状態でも、このクリアランスを限度として掛止片１５はプラグ本体部１３内に押し込まれ得るものである。
【００１４】
ここで、解除部材１６は円柱状の軸部材であって、先端１６ａはほぼ半円形断面に形成され、この先端１６ａが貫通孔１５ｃに挿入されて孔面に当接することで掛止片１５の突出長を規定している。すなわち、掛止片１５は弦巻バネ１４の弾性力により常に上方に付勢されているため、解除部材１６の先端１６ａが貫通孔１５ｃの孔面に当接することで、掛止片１５が上方に抜け出ないように規制される。
したがって、先端１６ａの径部分が図２(ａ)に示したように貫通孔１５ｃの孔面に当接しているときには、掛止片１５の突出長が最大になり、この状態から解除部材１６を回転させると、この先端１６ａの円周部分が孔面に当接して掛止片１５を徐々に押し込み、解除部材１６を約９０度回転させたときに押込長が最大、つまり突出長が最小になり、ジャック３０の受け部３３との掛止状態が解除される。また解除部材１６の後端１６ｂは平らに形成されている。
【００１５】
錠本体部１７としては、シリンダー錠の既存ユニットを使用することが可能であり、例えば、図３（ａ）〜（ｃ）に示したように、外筒部材１７ａの内部に軸部材（図示せず）が挿着され、軸部材は後端の鍵穴１７ｂに挿入された鍵（図示せず）により回転可能に設けられ、軸部材の先端には嵌合溝１７ｃが形成された嵌合部１７ｄが設けられている。この嵌合溝１７ｃに解除部材１６の後端１６ｂが嵌合している。
このように解除部材１６の後端１６ｂは、プラグ本体部１３の内部で錠本体部１７に接続され、また解除部材１６の先端１６ａもプラグ本体部１３の内部で掛止片１５に挿入されているため、セキュリティプラグ１０が電子機器又は情報通信機器のジャックに差し込まれた後には、解除部材１６は錠本体部１７を介してのみ回転操作が可能となり、この錠本体部１７は鍵により開閉操作がされる。
【００１６】
ガイド部材１９は、セキュリティプラグ１０をジャックに差し込む際に、ジャックのフロントカバー３１の前面開口３２における所定段部と嵌合し、セキュリティプラグ１０の上下が正しい配置で挿入されるように案内するものである。
【００１７】
以上構成のセキュリティプラグ１０は、ジャックに差し込まれるときに、掛止片１５がジャック３０の受け部３３に当接して摺動し、掛止片１５は弦巻バネ１４の弾性力に抗して押し込まれ、挿入部１１における突出長が短くなり、したがって、特に鍵により解除部材１６の操作を行わなくても、セキュリティプラグ１０はジャックへの差し込むことができる。そして、セキュリティプラグ１０がジャックへ差し込まれた後には、掛止片１５がジャック３０の受け部３３に掛止しているため、引き抜くことが困難である。
一方、セキュリティプラグ１０をジャックから抜き取るときには、鍵を錠本体部１７の鍵穴１７ｂに差し込み回転させることで、錠本体部１７に連動する解除部材１６も回転させる。この解除部材１６の回転により、その先端１６ａの円周部分が掛止片１５の孔面を摺動しながら掛止片１５を下方に押し込み、解除部材１６を９０度回転させたときに、掛止片１５とジャック３０の受け部３３との掛止状態が解除され、セキュリティプラグ１０を手で引張れば取り外しが可能になる。
【図面の簡単な説明】
【００１８】
【図１】（ａ）は本発明にかかるセキュリティプラグを上方から見下ろした図、（ｂ）は側面図、（ｃ）はＣ１−Ｃ１線に沿った断面図である。
【図２】（ａ）は図１（ｃ）におけるＡ２−Ａ２線に沿った断面図であり、（ｂ）はセキュリティプラグを後方から見た図である。
【図３】（ａ）は錠本体部の前面図、（ｂ）は側面図、（ｃ）は後面図である。
【図４】ジャックのフロントカバーの前面図である。
【符号の説明】
【００１９】
１０  セキュリティプラグ
１１  挿入部
１２  外部表出部
１３  プラグ本体部
１４  弦巻バネ（弾性部材）
１５  掛止片
１５ｃ  貫通孔
１６  解除部材（解除手段）
１６ａ  解除部材の先端
１７  錠本体部
３０  ジャック
３３  受け部
【図１】
2006146658.tif 000003
【図２】
2006146658.tif 000004
【図３】
2006146658.tif 000005
【図４】
2006146658.tif 000006